(57)【要約】【課題】入浴時の浴槽等において水面上から立上る湯気又は水蒸気を鼻又は口から吸入させるための簡易吸入器を提供する。【解決手段】この考案の吸入器は、水面上に突出するように浮上し上部及び外周を囲んで水面との間に水面より立上る湯気又は水蒸気を受け止めて貯留する空間を形成するドーム状のカバー部３と、該カバー部３を水面上に浮上させて支持するリング状のフロート２と、先端側がカバー部３内で開口し、外部に突出する基端部側に吸込口１１を備えた吸気管６から構成されている。そしてカバー部３には湯気又は水蒸気の吸入時に外部より空気を吸引する開口部が形成され、上記吸気管６にはカバー部３より外部に突出した側に、吸気管６を折曲げ可能にする折曲部８と吸気量を調節するバルブ９が設けられている。【選択図】図１
0003119205.tif 000002
【実用新案登録請求の範囲】
【請求項１】
水面上に突出するように浮上し上部及び外周を囲んで水面との間に水面より立上る湯気又は水蒸気を受け止めて貯留する空間を形成するカップ状のカバー部（３）と、該カバー部（３）を水面上に浮上させて支持するフロート（２）と、先端側がカバー部（３）内で開口し、外部に突出する基端部側に吸込口（１１）を設けた吸気管（６）を備えてなる簡易吸入器。
【請求項２】
カバー部（３）がドーム形に形成されカバー部（３）の下端に沿ってフロート（２）がリング状に配置されて設けられた請求項１の簡易吸入器。
【請求項３】
カバー部（３）に湯気又は水蒸気の吸入時に外部より空気を吸引する開口部を設けてなる請求項１又は２の簡易吸入器。
【請求項４】
吸気管（６）のカバー部（３）より外部に突出した側に吸気管（６）を折曲げ又は折曲げ可能な折曲部（８）を設けてなる請求項１，２又は３の簡易吸入器。
【請求項５】
吸気管（６）のカバー部（３）より外部に突出した側に吸気量を調節するバルブ（９）を設けてなる請求項１，２，３又は４の簡易吸入器。
【考案の詳細な説明】
【技術分野】
【０００１】
本考案は、入浴時の浴槽等において湯気又は水蒸気を鼻又は口から吸入させるための簡易吸入器に関する。
【背景技術】
【０００２】
従来の吸入器としては、特許文献１に示すように、給水タンクと加熱部とノズルからなる吸入器において給水タンク内の水が加熱部によって加熱され、発生した水蒸気がノズルより噴出されるものが知られている。
【０００３】
また顔の美容効果を高めるために使用されるものであるものの、入浴中に浴槽内の温水を利用するものとしては、特許文献２に示すように、浴槽内の温水を霧発生室内に取り入れて、その霧発生室内にて超音波振動を与えることによって発生したミスとや水蒸気を顔に吹き付ける美顔器が公知である。
【０００４】
【特許文献１】特開平８−３２７００２号公報
【特許文献２】実公平６−５７９１号公報
【考案の開示】
【考案が解決しようとする課題】
【０００５】
しかし上記特許文献１の吸入器は、専用の吸入器であって加熱部やノズル，タンク等を必要とするために高価であるほか、加熱部で水を加熱沸騰させて、水蒸気にする必要があるので、使用の度に電気やガスによって加熱部のヒーターを加熱しなければならず、高齢者や児童等による使用に適さないという問題があった。
【０００６】
また浴槽内の温水を利用した特許文献２の美顔器は、
霧発生室等を設けたために構造や操作が複雑となり、入浴中に簡単に使用できないほか、蓄電池等の電源が必要であるという問題があった。
【課題を解決するための手段】
【０００７】
上記課題を解決するための本考案の簡易吸入器は、第１に、水面上に突出するように浮上し上部及び外周を囲んで水面との間に水面より立上る湯気又は水蒸気を受け止めて貯留する空間を形成するカップ状のカバー部３と、該カバー部３を水面上に浮上させて支持するフロート２と、先端側がカバー部３内で開口し、外部に突出する基端部側に吸込口１１を設けた吸気管６を備えてなることを特徴としている。
【０００８】
第２に、カバー部３がドーム形に形成されカバー部３の下端に沿ってフロート２がリング状に配置されて設けられたことを特徴としている。
【０００９】
第３に、カバー部３に湯気又は水蒸気の吸入時に外部より空気を吸引する開口部を設けてなることを特徴としている。
【００１０】
第４に、吸気管６のカバー部３より外部に突出した側に吸気管６を折曲げ又は折曲げ可能な折曲部８を設けてなることを特徴としている。
【００１１】
第５に、吸気管６のカバー部３より外部に突出した側に吸気量を調節するバルブ９を設けてなることを特徴としている。
【考案の効果】
【００１２】
以上のように構成される本考案の簡易吸入器は、給水等の作業が必要ないほか入浴中に簡単に吸入することができ、構造が簡単であるために成型加工等も不要であり、電力を使用しないので全体として製造及びエネルギー消費コストを低く抑えることができる。
【００１３】
また吸気管が折曲部を介して折り曲げ可能に形成されているので、使用者の顔高さに応じて吸気管に設けられた吸込口を上下させることができる。
【００１４】
さらに吸気管の途中に水蒸気の吸引抵抗を調節する調節バルブを設けたので、使用者の吸引力に応じて、吸気可能量を調節できるという利点がある。
【考案を実施するための最良の形態】
【００１５】
以下本考案の簡易吸入器を図面に基づき説明する。図１は正面図，図２は平面図である。簡易吸入器１は平面視でリング状のフロート２上にドーム状のカバー部３が設けられ、外部から密閉された空間が形成されている。そしてカバー部３に形成された差込みホルダー４を介して吸入用の吸気管６が挿入されて連通した構成となっている。この例ではカバー部３の直径は１５０ｍｍ，高さ１００ｍｍであり、吸気管６は長さが３００ｍｍとして構成されている。
【００１６】
フロート２は平面視でＬ形でも、円弧状のものを間欠的に配置して、カバー部３の下端側又は上方に湯気又は水蒸気の吸入時に外部より空気を吸引する開口部（図示しない）を設けることができる。このようにすることにより、後述する吸引に際し、カバー部３内の湯気等の吸引を容易に行うことができる。
【００１７】
フロート２は浴槽２０内の水面にカバー部３を浮かせるために内部に空間を形成し、空気等を入れた構成となっており、ポリプロピレン，ポリエチレン等の合成樹脂により成型されている。
【００１８】
またドーム状のカバー部３は上記ドーナツ状のフロート２上に接合部３ａを介して、ヒートシール又はボンド等により接着固定された構成となっている。カバー部３はそのドーム形状の維持するために一定の硬度を持ったプラスチック材等により成型されている。
【００１９】
カバー部３に設けられた差込みホルダー４はその周囲を肉厚に形成しており、その形成位置は温水面から一定の高さを確保できる位置に形成されている。カバー部３に肉厚の差込みホルダー４を設けることにより、吸入用の吸気管６を必要に応じて取付け又は取り外し可能に構成し、洗浄等のメンテナンスが容易であるほか、該吸気管６を確実に固定することができるという利点がある。
【００２０】
カバー部３内に挿入された吸気管６の先端には、前後方向に（図２においては左右方向に）吸気孔７が形成されており、カバー部３内に充満した水蒸気又は湯気を該吸気孔７から吸気管６内に取り入れる構成となっている。
【００２１】
また吸気管６は蛇腹状のジョイント（折曲部）８を介して折曲げ可能に構成され、さらに水蒸気の吸気可能量を調節するための調節バルブ９を設けた構成となっている。そして該吸気管６の基部には口又は鼻を当てて水蒸気を吸うための吸込口１１が取付けられている。
【００２２】
ジョイント８を設けたことによって、吸込口１１を使用者の背丈（座高高さ）に応じた位置に調節できる。また吸気管６によってカバー部３内に充満した水蒸気を吸込む場合は、一定の吸引抵抗を与えるために調節バルブ９を設けることができる。
【００２３】
次に本考案の簡易吸入器の使用方法について説明する。予め浴槽２０内にお湯を溜めておき、使用者が入浴する際にカバー部３の差込ホルダー４内に吸気管６の吸気孔７側（先端側）を挿入し、温水面上に浮かべて一定時間放置する。
【００２４】
一定時間放置後、カバー部３内の水蒸気又は湯気が充満したところで、ジョイント８を介して曲げることにより吸込口１１に鼻又は口を当てる。そして調節バルブ９を徐々に開放しながら、吸込口１１から出る水蒸気又は湯気の量を使用者にとって最適な量に調節し吸引する。水蒸気又は湯気の吸引後は吸気管６をカバー部３の差込ホルダー４から外し、吸気管６及び吸込口１１を次の使用者のために洗浄後、収納する。
【００２５】
本考案の簡易吸入器は上記態様に限らず、カバー部のサイズ，吸気管の長さ等は浴槽内で水蒸気又は湯気を吸入するという目的が達成できるのであれば自由に変更可能であるほか、吸気管の先端に形成された吸気孔の形成位置，数，孔の大きさ等も自由に変更可能である。カバー部は水蒸気の充満状態が確認できる透明又は半透明の材質にしても良い。またカバー部のフロートへの取付け方法は、フロート上面の接合部を介しての取付けだけでなく、フロート側面への取付けにすることもできる。
【００２６】
またフロートは内部に空間を形成したリング状だけでなく、発泡材等の一定の浮力を持った材質により形成してもよく、また所定長さのフロートを複数個リング状に並べたものでも良い。さらにその形状も平面視でリング状に形成するだけでなく、他の多角形でも良い。カバー部の形状も同様である。その他、蛇腹状のジョイントは他の自在ジョイントでも良く、吸込口も鼻と口を同時に覆うことができるアタッチメントを付けて使用することも可能である。
【産業上の利用可能性】
【００２７】
本考案の簡易吸入器は水蒸気を吸い込むことによって咳等を鎮めるために用いるほか、呼吸器系の炎症の治療等に利用できる。またカバー部内の温水面上にハーブ等を浮かばせることによってストレス緩和を目的としたアロマセラピーなどに広く応用できるものである。
【図面の簡単な説明】
【００２８】
【図１】本考案の簡易吸入器の使用状態を示す一部断面正面図である。
【図２】本考案の簡易吸入器を示す一部断面平面図である。
【符号の説明】
【００２９】
１    簡易吸入器
２    フロート
３    カバー部
６    吸気管
８    ジョイント（折曲部）
９    調節バルブ（バルブ）
１１  吸込口
【図１】
0003119205.tif 000003
【図２】
0003119205.tif 000004